(57)【要約】  【課題】  本発明の目的は、長期にわたって安定した透水性を保持できる透水性部材を提供し、かつこのような透水性部材を用いることにより、長期にわたって貯水空間から雨水が溢れ出すことのない雨水の貯水施設を提供することにある。  【解決手段】  本発明の透水性部材２０は、表裏を連通する複数の水分透過穴２１を有する非生分解性樹脂製板状体において、前記複数の水分透過穴２１のうちの一部の透水性部材２１内に、生分解性樹脂からなる挿入部材２３〜２５を挿入したことを特徴とするものである。【選択図】  図２
2008144352.tif 000002
【特許請求の範囲】
【請求項１】
表裏を連通する複数の水分透過穴を有する非生分解性樹脂製板状体の前記複数の水分透過穴のうちの一部の水分透過穴内に、生分解性樹脂からなる挿入部材を挿入したことを特徴する透水性部材。
【請求項２】
前記挿入部材は、前記水分透過穴の形状に合わせて成形または加工された生分解性樹脂製部材、生分解性樹脂製粒子または生分解性樹脂製繊維の少なくともいずれかであることを特徴とする請求項１記載の透水性部材。
【請求項３】
表裏を連通する複数の水分透過穴を有する非生分解性樹脂製板状体の前記複数の水分透過穴以外の部分に、前記非生分解性樹脂製板状体の表裏を連通するように前記水分透過穴の形状に合わせて成形または加工された生分解性樹脂製部材、生分解性樹脂製粒子または生分解性樹脂製繊維の少なくともいずれかが埋め込まれていることを特徴する透水性部材。
【請求項４】
地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水の貯水施設において、前記堀穴の表面と前記空間保持骨格ブロック構造体との間には請求項１乃至請求項３いずれかに記載の透水性部材が設置されていることを特徴とする雨水の貯水施設。
【発明の詳細な説明】
【技術分野】
【０００１】
本発明は、透水性部材及びこの透水性部材を用いて、ビルあるいは集合住宅、特に団地等において、雨水を一時的に貯水するために地面に掘った掘穴の内表面を覆った雨水の貯水施設に関するものである。
【背景技術】
【０００２】
従来から、例えば、大きなビルや団地周辺の空き地や自転車置き場の地下等において、降った雨を一時的に貯水する貯水施設が種々設けられている。
このように雨水の貯水施設を設ける目的の一つは、雨水を一時的に貯水施設に貯えておいて、これを少しずつ下水に流したり、周囲に浸透させて都市型の洪水を防ぐ、という点にある。
【０００３】
この種の貯水施設の典型的な例として特許文献１に記載のものがある。
これは図３に示すように、予め地面１を掘り下げて、例えば平面形状が長方形の掘穴２を形成し、しかる後この掘穴２の内表面（側面２ａ及び底面２ｂを含む）を不織布や、比較的粒径の大きい砂利やがれきで覆い内張層３を形成する。
内張層３を形成したら、その内側、すなわち堀穴２内に、予め用意しておいた複数個の容器状で樹脂製の骨格ブロック４を上下縦横に組み付け、その内部に貯水空間を有する空間保持骨格ブロック構造体５を形成する。空間保持骨格ブロック構造体５が組み上がったら、最後に空間保持骨格ブロック構造体５上を不織布で覆ったり、さらには砂利や土を埋め戻して被覆層９を形成する。
尚、図３において、符号１０は貯水空間への雨水の流入口を、符号１１は流出口を示している。
【０００４】
【特許文献１】特公平４−２６６４８号公報（特開昭６３−２６８８２３号）
【発明の開示】
【発明が解決しようとする課題】
【０００５】
ところで特許文献１に記載されている雨水の貯水施設において、内張層３を砂利やがれき等のみで形成した場合、経時的に堀穴２の内表面（側面２ａ及び底面２ｂを含む）に露出している土砂のうち比較的粒子径の小さなものが、砂利やがれきの隙間を通って貯水空間側に侵入し、沈殿してしまう。その結果、次第に貯水空間を狭めて貯水可能な貯水量が少なくなってしまう、という問題があった。
【０００６】
そこで昨今では、透水性を有し、かつその隙間（目）が細かな不織布のみで内張層３を形成したり、あるいは堀穴２の内表面をまず不織布で覆い、さらにこの不織布と空間保持骨格ブロック構造体５との間に比較的粒径の大きな砂利やがれきを充填して内張層３を形成することもある。
このように堀穴２の表面を、砂利やがれきに比して遥かにその隙間の小さな不織布で覆うことで、透水性を保持しながら、堀穴２の内表面側から貯水空間への粒子径の小さな土砂の侵入を防止している。
ところが、時間の経過と共に、不織布の目が土砂で目詰まりし、貯水空間側から外部への水分の浸透がうまくいかず、次第に貯水空間から雨水が溢れ出す、という問題があった。
【０００７】
前記問題に鑑み本発明の目的は、長期にわたって安定した透水性を保持できる透水性部材を提供し、かつこのような透水性部材を用いることにより、長期にわたって貯水空間から雨水が溢れ出すことのない雨水の貯水施設を提供することにある。
【課題を解決するための手段】
【０００８】
前記目的を達成すべく本発明の請求項１記載の透水性部材は、表裏を連通する複数の水分透過穴を有する非生分解性樹脂製板状体の前記複数の水分透過穴のうちの一部の水分透過穴内に、生分解性樹脂からなる挿入部材を挿入したことを特徴するものである。
【０００９】
また、請求項２記載の透水性部材は、請求項１記載の透水性部材において、前記挿入部材は、前記水分透過穴の形状に合わせて成形または加工された生分解性樹脂製部材、生分解性樹脂製粒子または生分解性樹脂製繊維の少なくともいずれかであることを特徴とするものである。
【００１０】
加えて、請求項３記載の透水性部材は、表裏を連通する複数の水分透過穴を有する非生分解性樹脂製板状体の前記複数の水分透過穴以外の部分に、前記非生分解性樹脂製板状体の表裏を連通するように前記水分透過穴の形状に合わせて成形または加工された生分解性樹脂製部材、生分解性樹脂製粒子または生分解性樹脂製繊維の少なくともいずれかが埋め込まれていることを特徴としている。
【００１１】
さらにまた、請求項４記載の雨水の貯水施設は、地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水の貯水施設において、前記堀穴の表面と前記空間保持骨格ブロック構造体との間には請求項１乃至請求項３いずれかに記載の透水性部材が設置されていることを特徴としている。
【００１２】
前記請求項１乃至請求項３記載の透水性部材のいずれかで、例えば、請求項４記載の雨水の貯水施設における内張層を形成すれば、具体的には、雨水の貯水施設における掘穴の内表面と空間保持骨格ブロック構造体とを仕切れば、経時的に透水性部材の水分透過穴が堀穴表面から侵入する細かい粒子で目詰まりを起こしたとしても、この透水性部材に含まれる生分解性樹脂からなる部分が、時間の経過と共に分解し、本来生分解性樹脂が存在していた部分に空洞、すなわち水分透過穴をもたらす。
その結果、透水性部材が本来持っていた水分透過穴が目詰まりし、次第にその数が減っていったとしても、それと同時に生分解性樹脂の分解に伴ってもたらされる水分透過穴が新たに生まれ、目詰まり分を補完していく。
そのため、例えば、従来の非生分解性樹脂からなる不織布よりも、より長期にわたって高い透水性が保持可能になり、長期にわたって貯水空間から雨水が溢れ出す恐れをなくすることができる。
【発明の効果】
【００１３】
以上のように本発明によれば、長期にわたって安定した透水性を保持できる透水性部材を提供でき、この透水性部材を用いることで、長期にわたって貯水空間から雨水が溢れ出すことのない雨水の貯水施設を提供することもできる。
【発明を実施するための最良の形態】
【００１４】
以下に本発明の透水性部材を雨水の貯水施設に用いる場合について、図１、図２を用いて詳細に説明する。尚、雨水の貯水施設そのものは基本的には図３に示すものと同じであるため、ここでは貯水施設全体図は省略し、本発明の透水性部材の形状や構成等について説明することにする。
【００１５】
図１は本発明の透水性部材２０の一実施例を示す斜視図である。図１に示すようにこの透水性部材２０の本体は、任意の厚さｔ、通常ｔ＝５〜１０ｍｍの厚さを有する非生分解性樹脂製板状体である。そして、符号２１で示す内径０．５ｍｍ前後の水分透過穴を多数有している。この水分透過穴２１は板状の透水性部材２０の表裏を連通するように設けられている。
【００１６】
本発明の透水性部材２０の特徴は、この水分透過穴２１の一部に、図２（ａ）、図２（ｂ）及び図２（ｃ）に示すように、水分透過穴２１の形状に合わせて成形または加工された生分解性樹脂製部材または生分解性樹脂製粒子、あるいは生分解性樹脂製繊維の少なくともいずれかからなる挿入部材２３、２４及び２５が挿入されている点にある。
本発明の透水性部材２０の第１の実施例である図２（ａ）は、非生分解性樹脂製板状体にドリル等で形成した多数の水分透過穴２１のうちの一部の水分透過穴２１に、この水分透過穴２１の穴形状に合わせて成形または加工された生分解性樹脂製部材、より具体的には、例えば、線状に成形または加工されたものを挿入部材２３として挿入したものを示している。
尚、ここで成形とは、樹脂を押出成形や射出成形等により目的の形状に成形することであり、加工とは機械加工により目的の形状にすることを意味している。
ところで図２（ａ）は、透水性部材２０の一実施例を示す断面図である。
【００１７】
このような透水性部材２０を、図３に示すような雨水の貯水施設において内張層３として用いれば、挿入部材２３が挿入されていない透水性部材２０の水分透過穴２１が、時間の経過とともに掘穴２の表面から侵入する土砂で目詰まりを起こしたとしても、成形または加工された生分解性樹脂製部材からなる挿入部材２３が挿入されている水分透過穴２１では、同時に挿入部材２３の分解も進むため、挿入部材２３が分解した部分が空洞となり、新たに透水性部材２０の表裏を連通する水分透過穴２１が形成される。そのため、目詰まりで失った水分透過穴２１の補充ができることになる。
よって最初から透水性部材２０の表裏を連通していた水分透過穴２１が時間の経過と共に目詰まりを起こして、その数が次第に減っていったとしても、成形または加工された生分解性樹脂製部材からなる挿入部材２３の分解に伴って水分透過穴２１が新たに補充され、長期にわたって安定して透水性を確保することができる。
【００１８】
図２（ｂ）は、本発明の透水性部材２０の別の実施例を示す断面図である。図２（ｂ）に示すものは、生分解性樹脂製のペレット（粒子）を直線状に連ねた生分解性樹脂製粒子を挿入部材２４として水分透過穴２１内に挿入したものを示している。
このように生分解性樹脂からなる粒子を直線状に連ねた生分解性樹脂製粒子を挿入部材２４とする場合には、例えば、水分透過穴２１に生分解性樹脂製の粒子を複数個詰め込むだけで透水性部材２０を簡単に形成できる。
尚、生分解性樹脂製粒子のかわりに、これより微細な生分解性樹脂製粒子と非生分解性樹脂製粒子の両者を複合した粒子を用いてもよい。本発明では、このような複合粒子も含めて、生分解性樹脂製粒子という。
【００１９】
尚、図２（ｂ）に示す透水性部材２０では、水分透過穴２１内にあって、生分解性樹脂製粒子同士が透水性部材２０の厚さ方向に互いに連なるように挿入されているが、互いに離れた状態で挿入されていてもよい。極端な場合には、透水性部材２０の表裏の表面側に各々一個ずつ、あるいはさらに極端な例では、水分透過穴２１に一個の生分解性樹脂製粒子を挿入するだけでも構わない。それ故、本発明で生分解性樹脂粒子を挿入部材として用いる、という場合には、挿入部材２４として生分解性樹脂製粒子が水分透過穴２１内に複数個挿入されている場合だけでなく、単に１個挿入されている場合も含むものとする。
【００２０】
図２（ｂ）に示す透水性部材２０を、雨水の貯水施設において内張層３として用いた場合にも、図２（ａ）に示す透水性部材２０と同様に、挿入部材２４が挿入されていない水分透過穴２１が、時間の経過とともに土砂で目詰まりを起こしたとしても、挿入部材２４が挿入されている水分透過穴２１では、挿入部材２４の分解も同時に進む。そのため、挿入部材２４が分解した部分が空洞となり、新たに透水性部材２０の表裏を連通する水分透過穴２１が形成され、目詰まりで失った水分透過穴２１の補充ができることになる。
このように図２（ｂ）に示す透水性部材２０においても、長期にわたって安定して透水性を確保することができる。
【００２１】
図２（ｃ）は、本発明の透水性部材２０のさらに別の実施例を示す断面図である。
図２（ｃ）に示す透水性部材２０は、ドリル等で形成した多数の水分透過穴２１のうちの一部の水分透過穴２１に、この水分透過穴２１の内径に合わせて撚糸状に撚り合わせ加工した生分解性樹脂製の繊維を挿入部材２５として挿入したものを示している。
【００２２】
このようにしてなる透水性部材２０においても、挿入部材２５が挿入されていない水分透過穴２１が、時間の経過とともに掘穴表面から侵入する土砂で目詰まりを起こしたとしても、生分解性樹脂製の繊維からなる挿入部材２５が挿入されている水分透過穴２１では、同時に挿入部材２５の分解も進み、分解した部分が空洞となって、新たに透水性部材２０の表裏を連通する水分透過穴２１が形成される。そのため、目詰まりで失った水分透過穴２１の補充ができる。
よって最初から透水性部材２０の表裏を連通していた水分透過穴２１が時間の経過と共に目詰まりを起こして、その数が次第に減っても、生分解性樹脂製の繊維からなる挿入部材２５の分解に伴って水分透過穴２１が新たに補充され、長期にわたって安定して透水性を確保することができる。
【００２３】
ところで図２（ｃ）では、予め設けておいた水分透過穴２１に撚糸状に撚った生分解性樹脂製の繊維を挿入部材２５として挿入したが、透水性部材２０の成形時に、この撚糸状の挿入部材２５を最初からその両端が透水性部材２０の表裏に連通するように配置せしめて透水性部材２０を成形、加工してもよい。この場合には挿入部材２５を有する透水性部材２０を成形後、必要数の水分透過穴２１をドリル等で形成してもよいし、水分透過穴２１も最初から透水性部材２０の成形と同時に形成してもよい。
もちろん、図２（ａ）、図２（ｂ）に示す挿入部材２３、２４においても、透水性部材２０の成形時に、これら挿入部材２３、２４を最初からその両端が透水性部材２０の表裏に連通するように配置せしめて透水性部材２０を成形加工してもよいことはいうまでもない。
【００２４】
また、前述した挿入部材２３〜２５には、これら挿入部材２３〜２５を形成する生分解性樹脂が経時的に分解した際、確実に水分透過穴２１が形成されるのであれば、非生分解性樹脂を多少含んでいてもよい。例えば、バインダー樹脂としての非生分解性樹脂をわずかであれば含んでいてもよい。
【００２５】
ところで図１、図２に示す透水性部材２０では、具体的にはその厚さｔは、前述したように５ｍｍ〜１０ｍｍ、水分透過穴２１の内径は、平均内径で０．１ｍｍ〜１．０ｍｍにしてある。
また、水分透過穴２１は深さ方向に必ずしも一定の直径を有するものでなくともよく、例えば、テーパ形状（円錐台形状）や深さ方向に異なる直径を有する２段に連ねた円柱形状のものでもよい。いずれにせよ、堀穴２の表面に露出している土砂の貯水空間への流入が防止でき、しかも水分透過穴２１内に挿入部材が挿入可能なものであればよい。
尚、水分透過穴２１の大きさや透水性部材２０の厚さを含む寸法等の設定条件をどのようにするかは、主として、これら透水性部材２０が用いられる雨水の貯水施設の大きさや設置される場所の条件、具体的には掘穴２の表面に露出している土砂の粒子径等により決めればよい。
例えば、雨水の貯水施設の堀穴が、細かな粒子からなる土地に掘られたものである場合には、透水性部材２０の目が目詰まりし易くなる。このような場合には、水分透過穴２１の数を、単位面積当りに換算してより多く形成するようにする。
また、雨水の貯水施設が設置されている場所の土砂の粒子径が著しく細かい場合には、水分透過穴２１の平均内径を０．１ｍｍ〜０．５ｍｍ（１００μｍ〜５００μｍ）の範囲にし、その数を通常よりも多く形成するようにすればよい。
【００２６】
また、透水性部材２０の本体の材質としては、一般的にはポリエステル樹脂が用いられる。一方、挿入部材２３の材質としては、ポリブチレンサクシネート系樹脂からなる成形体が、挿入部材２４としては、ポリブチレンサクシネート系樹脂製の粒子が、そして挿入部材２５としては、同じく撚糸状に撚り合わせたポリブチレンサクシネート系樹脂製の繊維が好適である。
【００２７】
ところで、挿入部材２３〜２５の材質としては、前述したポリブチレンサクシネート系樹脂の他にも、例えば、ポリビニールアルコール、ポリ乳酸樹脂、ポリカプロラクトン樹脂、ポリエチレンサクシネート樹脂、ポリグリコール酸樹脂、ポリブチレンテレフタレート系樹脂、ポリヒドロキシブチレート系樹脂、さらには酢酸セルロース、エステル化澱粉等が使用できる。特に、ポリブチレンサクシネート系樹脂は、樹脂の分解温度が低く、比較的低温で分解する。それ故、挿入部材２３〜２５としてポリブチレンサクシネート系樹脂を使用することが特に望ましい。
また非生分解性樹脂としては、前述したポリエステル樹脂の他にアクリル樹脂等が使用できる。
【００２８】
尚、図１、図２に示すような板状の透水性部材２０は、比較的大型の雨水の貯水施設において、図３に示す掘穴２と空間保持骨格ブロック構造体５との間に壁材のように用いられることが多い。この場合は、単に透水性部材２０としてだけではなく、機械的強度を有する壁材としても対応でき、好ましい。
もちろん貯水施設によっては、本発明の板状の透水性部材２０と、通常の不織布とを重ねて使用することもできる。
また、本発明の透水性部材２０を、小型の雨水の貯水施設に使用することももちろん可能である。
【００２９】
ところで前記各実施例では、本発明の透水性部材２０を雨水の貯水施設に使用した例のみ示しているが、これ以外にも経時的に目詰まりの進行が心配される透水性部材の設置場所にあっては、雨水の貯水施設に限らず適用可能であることはいうまでもない。
【００３０】
以上に述べたように本発明によれば、長期に亘って安定した透水性を保持できる透水性部材を提供でき、さらにこの透水性部材を用いれば、長期間にわたって貯水空間から雨水が溢れ出すことのない雨水の貯水施設を提供することができる。
【図面の簡単な説明】
【００３１】
【図１】本発明の透水性部材の一実施例を示す斜視図である。
【図２】（ａ）〜（ｃ）は、図１に示す透水性部材のそれぞれ別の実施例を示す断面図である。
【図３】本発明の透水性部材が適用される雨水の貯水施設の一例示す断面図である。
【符号の説明】
【００３２】
１  地面
２  掘穴
３（２０）  内張層（透水性部材）
４  骨格ブロック
５  空間保持骨格ブロック構造体
９  被覆層
１０  流入口
１１  流出口
２０  透水性部材
２１  水分透過穴
２３  挿入部材（生分解性樹脂製部材）
２４  挿入部材（生分解性樹脂製粒子）
２５  挿入部材（生分解性樹脂製繊維）
【図１】
2008144352.tif 000003
【図２】
2008144352.tif 000004
【図３】
2008144352.tif 000005